(57)【特許請求の範囲】
【請求項１】
設置部に固定された取付ステーと、給水栓に取着されて前記取付ステーを掛止する掛止部材とを備え、取付ステー又は掛止部材の少なくとも一方の掛止部分を給水栓への掛止部材の取着方向に傾斜する傾斜面状に形成して、給水栓への掛止部材の取着に伴って給水栓が設置部方向へと引き寄せられるよう構成した給水栓の取付構造において、
前記掛止部材を、別途の取着部材を介して給水栓に取着したことを特徴とする給水栓の取付構造。
【請求項２】
前記掛止部材及び取付ステーの双方の掛止部分を互いに面当接可能な傾斜面状に形成したことを特徴とする請求項１に記載の給水栓の取付構造。
【請求項３】
前記設置部に固設された水道配管の端末具と前記給水栓の配管接続部とが挿嵌接続されることを特徴とする請求項１又は請求項２の何れかに記載の給水栓の取付構造。
【請求項４】
前記給水栓は、給水栓本体と、該給水栓本体を覆うと共に設置部に衝合するカバーとを備えることを特徴とする請求項１から請求項３の何れかに記載の給水栓の取付構造。
【請求項５】
前記給水栓は、前記カバーとは別に、掛止部材を覆うサブカバーを備えることを特徴とする請求項４に記載の給水栓の取付構造。
【発明の詳細な説明】
【０００１】
【発明の属する技術分野】
本各発明は、設置部に固定された取付ステーと、給水栓に取着されて前記取付ステーを掛止する掛止部材とを備え、取付ステー又は掛止部材の少なくとも一方の掛止部分を給水栓への掛止部材の取着方向に傾斜する傾斜面状に形成して、給水栓への掛止部材の取着に伴って給水栓が設置部方向へと引き寄せられるよう構成した給水栓の取付構造に関する。
【０００２】
【従来の技術】
壁面、デッキ面等の設置部に取付ステーを介して給水栓を設置するに際して、給水栓を設置部方向に引き寄せて設置部に隙間無く取り付けるために、例えば、特開平９−１４４０８３号公報に記載された取付構造がある。これは、次のような構造である。図６（ａ）に示すように、先ず、設置部１Ａに固定された取付ステー４０上端の返し部４６に、給水栓１０の背面上端部８１を係着させ、この後、給水栓１０の背面側下端部８２のネジ孔８３に締付用ビス８５を螺入させ、締付用ビス８５の先端部８６を取付ステー４０下端の返し部４７の背面に当接させる。そして、締付用ビス８５の螺入量を増加させ、図６（ｂ）の矢印Ｊに示すように、締付用ビス８５の先端部８６を返し部４７の背面に当接させながら、締付用ビス８５を斜め上方へとスライドさせる。これにより、給水栓１０を設置部１Ａ方向に引き寄せて設置部１Ａに隙間無く取り付けることができる。また、取り付け後には、返し部４７に多少の撓みが生じており、返し部４７の復元力が締め付け用ビス８５に常時加わり、設置部１Ａへ給水栓１０が引き寄せられた状態が維持される。
【０００３】
【発明が解決しようとする課題】
しかし、上記の従来の取付構造にあっては、以下のような問題がある。
先ず、締付用ビス８５の先端部８６が返し部４７に回転状態で当接するため、この先端部８６が返し部４７に食い込み、締付用ビス８５を円滑にスライドさせることが困難となる場合がある。かかる場合には、給水栓１０を的確に設置することができず、給水栓１０にガタツキを生じたり、給水栓１０の背面と設置部１Ａとの間に無用の隙間を生ずる。
【０００４】
また、締め付け用ビス８５の先端部８６が返し部４７に点状に当接するため、給水栓１０を取付ステー４０に堅固に固定することが困難である。しかも、点状の当接であるため、固定状態であっても、返し部４７への締め付け用ビス８５の食い込みが生じ易い。ここで、施工当初は設置部１Ａへの給水栓１０の十分な引き寄せが維持されていたとしても、長年の使用により、返し部４７への締め付け用ビス８５の食い込みが生じると、引き寄せ力が低下して、給水栓１０にガタツキを生じたり、給水栓１０の背面と設置部１Ａとの間に無用の隙間を生ずる。
【０００５】
本各発明はこのような実状に鑑みてなされたものであり、その目的とするところは、給水栓を設置部に対して的確に取り付けるための給水栓の取付構造を提供することである。
【０００６】
【課題を解決するための手段】
以上の課題を解決するために、本各発明が採った手段は、先ず、請求項１の発明に係わる給水栓の取付構造では、
「設置部に固定された取付ステーと、給水栓に取着されて前記取付ステーを掛止する掛止部材とを備え、取付ステー又は掛止部材の少なくとも一方の掛止部分を給水栓への掛止部材の取着方向に傾斜する傾斜面状に形成して、給水栓への掛止部材の取着に伴って給水栓が設置部方向へと引き寄せられるよう構成した給水栓の取付構造において、
前記掛止部材を、別途の取着部材を介して給水栓に取着したこと」
をその要旨とする。
【０００７】
請求項１の発明では、掛止部材が給水栓に別途の取着部材により取着されているため、給水栓へ掛止部材を取着する際に、取付ステーに対して掛止部材が回転することはなく、単に当接するのみとなる。よって、給水栓への掛止部材の取着に伴って、掛止部材は、取付ステーに対して円滑にスライドして、給水栓を設置部方向へと引き寄せる。
【０００８】
ここで、本発明では、掛止部材と取付ステーとの各掛止部分の当接状態が点状のものであっても、上記利点が得られることから十分に効果を発揮できるが、堅固に固定する点を考慮すると、掛止部材と取付ステーとの各掛止部分を、線状若しくは面状に当接するように構成するのが好適である。
尚、本発明において、「取着部材」としては、給水栓又は掛止部材への螺着により給水栓に掛止部材を取着するビス、給水栓及び掛止部材の各々との係合により給水栓に掛止部材を取着する係合具等、種々のものを適用することができる。また、「設置部」としては、例えば、浴室、洗面所、台所等の給水栓の各種設置空間の壁部、カウンターの上面部若しくは前面部、デッキ部等の他に、各種関連用品、例えば、洗面化粧台や流し台等の立壁部、上面部等も含まれる。
【０００９】
次に、請求項２の発明に係わる給水栓の取付構造では、
「請求項１の発明の給水栓の取付構造において、
前記掛止部材及び取付ステーの双方の掛止部分を互いに面当接可能な傾斜面状に形成したこと」
をその要旨とする。
請求項２の発明では、掛止部材及び取付ステーの双方の掛止部分を傾斜面状に形成するため、掛止部のスライドがより一層、円滑に行われ、しかも、堅固な固定が得られる。
【００１０】
次に、請求項３の発明の給水栓の取付構造では、
「請求項１又は請求項２の発明の給水栓の取付構造において、
前記設置部に固設された水道配管の端末具と前記給水栓の配管接続部とが挿嵌接続されること」
をその要旨とする。
【００１１】
請求項１及び２の各発明においては、給水栓と水道配管との接続手段を特に問わず、互いの螺着や、袋ナットを用いた継手等の公知の接続手段を適用することができる。しかしながら、このような接続手段は、その構造が複雑で作業も繁雑である。そこで、本発明では、設置部に固設された水道配管の端末具と、給水栓の配管接続部とを、単に挿嵌することにより接続する。これにより、構造及び接続作業の簡便化を図ることができる。ここで、このような挿嵌接続では、互いの抜けを防止する必要があるが、取付ステーへの掛止部材の掛止により給水栓が設置部に固定されるため、水道配管の端末具から給水栓の配管接続部が抜脱することはなく、しかも、給水栓が設置部へと引き寄せられるため、水道配管の端末具と給水栓の配管接続部とは、確実な接続状態が維持される。尚、本発明における「端末具」としては、水道配管の端末と給水栓の配管接続部との間に介在されるアダプターや、ソケット等の接続管を例示できる。
【００１２】
次に、請求項４の発明の給水栓の取付構造では、
「請求項１から請求項３の発明の何れかに記載の給水栓の取付構造において、
前記給水栓は、給水栓本体と、該給水栓本体を覆うと共に設置部に衝合するカバーとを備えること」
をその要旨とする。
請求項４の発明によると、カバーによって給水栓全体の美観の向上を図ることができる。尚、本発明においては、このカバーで被覆される給水栓本体も設置部に衝合可能となってもよいし、給水栓本体と設置部との間に隙間を生じてもよい。前者の態様では、給水栓全体の設置部からの前出量をより一層、少なくできるため、給水栓周囲の美観がより一層、向上する。また、後者の態様においては、給水栓本体と設置部との間の隙間をカバーによって隠蔽できる点で大きな意義を有する。
【００１３】
最後に、請求項５の発明の給水栓の取付構造では、
「請求項４の発明の給水栓の取付構造において、
前記給水栓は、前記カバーとは別に、掛止部材を覆うサブカバーを備えること」
をその要旨とする。
【００１４】
請求項５の発明によると、サブカバーを着脱するだけで、掛止部材の着脱が可能なため、給水栓の施工やメンテナンス等がより一層、容易となる。
尚、本発明では、給水栓本体における「サブカバーの守備範囲となる部位」に、止水栓、ストレーナ、逆止弁等のメンテナンス用の機器の操作部や着脱口を設けることが有効である。サブカバーを着脱するだけで、これらの機器の操作やメンテナス等を行うことができるからである。
【００１５】
【発明の実施の形態】
次に、本各発明に関わる「給水栓の取付構造」の実施の形態を、図面に従って詳細に説明する。
先ず、本給水栓１０の取付構造の概要を、図１を用いて説明する。この取付構造は、浴室に設置されたユニットバスに適用されるものであり、壁面パネル等を用いて構成される設置部１Ａに対して、給水栓１０を取付ステー４０、掛止部材５０及び取着部材５８等を用いて取り付けたものである。但し、本各発明の設置部１Ａには、本例に示す、各種のパネルの他に、設置空間自体の各種面部分、例えば、浴室、洗面所、台所等にモルタル、タイル等で固定的に形成された壁部、カウンター部、デッキ部等も含まれる。また、設置空間に設置される各種関連用品の各種取付部、例えば、洗面化粧台や流し台等の立壁部、上面部、カウンター部等も含まれる。
【００１６】
本例では、給水栓１０として湯水混合水栓を用いており、給水栓本体１１と、カバー３１と、左右一対のサブカバー３５とを備える。但し、本各発明は、単水栓、浄水器水栓、アルカリイオン水の製造器等の他のタイプの給水栓にも好適に適用できる。
給水栓本体１１は、前面両端側に操作軸１２の端末を露呈させ、各端末に操作ハンドル１Ｄを装着している。この給水栓本体１１の左右両側面では、操作軸１２の後方側が十分な大きさの空き領域１３とされているため、使用者は手を設置部１Ａに接触させることなく、操作ハンドル１Ｄを円滑に操作することができる。また、各空き領域１３には止水栓ユニット２Ｄが露呈している。
【００１７】
給水栓本体１１の背面の図示左方からは湯側の配管接続部１７が突出し、図示右方からは水側の配管接続部１７が突出している。尚、給水栓本体１１に設けられる配管接続部の数は、単水栓においては１つとなる。また、給水栓本体１１の底面前方側には吐水管１Ｅが垂下状に接続され、底面後方側からは図示しないシャワー配管が接続される接続部１４が垂下している。
【００１８】
カバー３１は、給水栓本体１１の上面、前面及び底面を略被覆するものであり、給水栓本体１１にその前面側より装着されると共に、請求項４の発明に従って、その後端部を設置部１Ａに衝合させるものである。また、カバー３１の前面側の左右両端には段差状の切り欠き部３２が設けられており、この切り欠き部３２に取着されたカラー３３によってカバー３１の給水栓本体１１前方への抜け止めが図られる。
【００１９】
左右のサブカバー３５は、給水栓本体１１左右の各空き領域１３を被覆するものであり、裏面の４隅より弾性係合脚３６を突設させている。このサブカバー３５は、給水栓本体１１等を設置部１Ａに設置した後に着脱自在に装着され、その際、弾性係合脚３６がカバー３１の両側面後方側の内壁面に弾発状に係合される。
尚、カバー３１及びサブカバー３５の態様は本例に限定されず、例えば、掛止部材５０の装着部位が、給水栓本体１１の上面、底面、前面等の他の面に設けられる場合には、この面にカバー３１の開放部分を設け、この開放部分にサブカバー３５を取着してもよい。また、カバー３１自体を分割タイプとしてもよく、請求項１〜３の各発明にあっては、カバー３１やサブカバー３５を備えないものであってもよい。
【００２０】
取付ステー４０は、給水栓本体１１の背面側に配置されるものであり、略矩形状の薄肉板を主体に構成され、左右両端側に挿通孔４１を備える。そして、後述するように、この挿通孔４１に装着される固定部材７３と設置部１Ａとに挟持されて設置部１Ａに固定されている。また、取付ステー４０の左右両端には、反設置部１Ａ側に屈曲する屈曲部４３が設けられ、この屈曲部４３には前述の止水栓ユニット２Ｄとの抵触を回避するための切り欠き部４４が設けられている。そして、屈曲部４３の背面が傾斜面状の被掛止部４５を構成している。
【００２１】
掛止部材５０は、略縦断面くの字状の薄肉板を主体に構成され、略縦長矩形状の本体部５１と、切り欠き部５３を挟んで上下に並設された略横長矩形状の取着部５２とを備える。ここで、切り欠き部５３は、前述の止水栓ユニット２Ｄとの抵触を回避するためのものである。この掛止部材５０では、本体部５１の前面が、前述の被掛止部４５に対応する傾斜面状の掛止部５５を構成する。また、各取着部５２には挿通孔５６が設けられており、ビスを用いて構成される取着部材５８を、この挿通孔５６を通じて給水栓本体１１のネジ孔１８に螺入することで、掛止部材５０は給水栓本体１１に取着される。
尚、取付ステー４０と掛止部材５０との掛止部分である被掛止部４５と掛止部５５の掛止態様等の詳細に関しては後述する。
【００２２】
次に、図２を用いて給水栓本体１１の詳細を述べる。
給水栓本体１１は、湯水の混合調節を行う温度調節弁２Ｂと、流出路の切換及び流量調節を行う流路切換弁２Ｃと、を内蔵している。
温度調節弁２Ｂは、給水栓本体１１左側面の操作ハンドル１Ｄを用いて操作され、湯室１５より供給される湯と、水室１６より供給される水とを所望温度に混合するものである。この温度調節弁２Ｂとしては、例えば、（ａ）ワックスエレメントや形状記憶合金エレメント等の温度変化に対応して変形する感温素子を用いて構成され、湯及び水の混合度合いを自動的に調節するサーモスタット方式、（ｂ）互いに摺動して流路の開閉を行う固定ディスクと可動ディスクとを用いて構成される摺動ディスク方式、（ｃ）湯と水との混合度合いを別個のハンドルにより調節する２ハンドル方式等の種々の方式のものを利用できる。
【００２３】
ここで、図２に示すように、湯側の配管接続部１７は、その奥端部において、左方の装着室１９に屈曲状に連通し、更に、給水栓本体１１内を引き回されて逆止弁（図示省略）を収容する連通口２０に連通し、湯室１５へと連絡されている。一方、水側の配管接続部１７は、その奥端部において、右方の装着室１９に屈曲状に連通し、給水栓本体１１内を引き回されて逆止弁（図示省略）を収容する連通口２１、流路部分２２の順に連通し、更に、給水栓本体１１内を引き回されて水室１６へと連絡されている。尚、左右の各装着室１９、１９には、止水栓とストレーナとを備える止水栓ユニット２Ｄが、前記空き領域１３より着脱自在に装着されると共に、止水栓の操作部２Ｇがこの空き領域１３に露呈している。このように、本例では、止水栓ユニット２Ｄの装着部位が給水栓本体１１の内部流路を適宜屈曲させて設けられ、しかも、空き領域１３において開口するため、この装着室１９、１９に対して止水栓ユニット２Ｄを着脱することが容易である。また、このように、「止水栓ユニット２Ｄ」の装着部位を給水栓本体１１内部に屈曲状に設けるため、給水栓本体１１をコンパクトなものとできる。
【００２４】
一方、流路切換弁２Ｃは、給水栓本体１１右側面の操作ハンドル１Ｄを用いて操作され、流出路をカラン側の流出路２３若しくはシャワー側の流出路２４に切り換えると共に流量調節を行うものである。この流路切換弁２Ｃとしては、（ｄ）摺動ディスク方式、（ｅ）対向する一対の弁口に対して弁体を進退させて流路の切換及び流量調節を行うリフト方式等の種々の方式のものを利用できる。
【００２５】
次に、給水栓１０の取付対象となる設置部１Ａと、設置部１Ａに配置された接続具Ｓについて、図２及び図３を用いて説明する。
設置部１Ａは、図示しない浴室の奥壁前方に立ち上げられたものであり、図２に示すように、設置部１Ａの裏面側には、共に剛性管で構成された給湯用の水道配管１Ｆの端末と、給水用の水道配管１Ｆの端末とが引き回されている。尚、各水道配管１Ｆを、可撓管を用いて構成してもよい。
また、設置部１Ａには、前述の湯側及び水側の両配管接続部１７、１７と略同ピッチで、２つの貫通孔１Ｇ、１Ｇが穿設されている。そして、この設置部１Ａに対して、前述の給水栓１０が、左右一対のアダプター６０、６０及び固定ステー７０を有する接続具Ｓと、固定部材７３と、取付ステー４０と、掛止部材５０等を用いて取り付けられる。
【００２６】
アダプター６０は、「水道配管の端末具」の一具体例を示すものであり、図３に示すように、フランジ付きの筒状物を用いて構成されている。また、大径のフランジ部６６の前方が、前述の湯側若しくは水側の各配管接続部１７、１７に接続可能な前方接続口６１とされ、フランジ部６６の後方が給湯用若しくは給水用の各水道配管１Ｆに接続可能な後方接続口６２とされている。更に、前方接続口６１は前述の貫通孔１Ｇに遊入可能な外径を備え、外周面には雄ネジ６３が刻設されている。また、前方接続口６１の内周面には２つの周回溝が設けられ、各周回溝にはシール部材６４、６４がはめこまれており、後方接続口６２の外周面には雄ネジ６５が刻設されている。
【００２７】
固定ステー７０は、図３に示すように、両アダプター６０を所望のピッチで回り止め固定するものである。この固定ステー７０は、略矩形薄状の剛性板を用いて構成され、両端側には下端面で開口する固定用切り欠き７１が設けられている。そして、両固定用切り欠き７１間のピッチは、２つの貫通孔１Ｇ、１Ｇと略同ピッチとされている。尚、この固定用切り欠き７１は固定ステー７０の上端面や側端面で開口するものであってもよいし、固定用切り欠き７１の代わりに固定孔を穿設してもよい。
【００２８】
本例では、左右の固定用切り欠き７１を各々左右のアダプター６０のフランジ部６６裏面に位置合わせしながら、固定ステー７０を下方へと移動して、各固定用切り欠き７１内に各後方接続口６２の前端部６７を挿入する。そして、固定ステー７０の裏面側より、雄ネジ６５にナット７２を螺合し、フランジ部６６とナット７２とによって固定ステー７０を挟持して、全体で接続具Ｓを構成する。尚、本例では、各後方接続口６２の前端部６７の周面部分に、一対の平行面（所謂２面幅）が形成され、この周面部分が、固定用切り欠き７１の奥端側と対応した外形を呈している。そして、前端部６７の一対の平行面と、固定用切り欠き７１の一対の平行面とが嵌合するため、両アダプター６０は、固定ステー７０に対して周り止め固定された状態となっている。
【００２９】
また、図３に示すように、左側の後方接続口６２には袋ナット１Ｈを用いて給湯用の水道配管１Ｆの端末が接続され、右側の後方接続口６２には同様にして給水用の水道配管１Ｆの端末が接続される。これにより、接続具Ｓはその前方接続口６１を前述の湯側及び水側の両配管接続部１７、１７と略同ピッチに配置した状態にて保持しつつ、剛性管を用いて構成される両水道配管１Ｆによって片持ち梁状に支持された状態となる。但し、固定ステー７０の使用を省略したり、固定ステー７０の代わりに、ボックス形状等の他の態様の固定具を用いてもよい。
【００３０】
本例では、各水道配管１Ｆと各後方接続口６２との接続作業を、奥壁前方に設置部１Ａを立設配置する前に行う。そして、設置部１Ａの立設作業の一環として、各前方接続口６１が設置部１Ａの裏面側より、シートパッキン１Ｊを介在させながら貫通孔１Ｇに挿入される。これにより、各前方接続口６１は各貫通孔１Ｇ内に略納まった状態となる。また、本例では、各前方接続口６１が雌型に形成され、シール部材６４、６４が外部へと露呈しないため、この挿入作業の際に各貫通孔１Ｇの内壁面やこの内壁面に存在する「バリ」等が、シール部材６４、６４に接触することはない。
【００３１】
この挿入作業によって、左右のフランジ部６６の前面が、設置部１Ａの裏面にシートパッキン１Ｊを挟んで当接する。尚、本例では、フランジ部６６の前面を設置部１Ａ裏面に当接する当接面としたが、アダプター６０よりフランジ部６６を省略し、固定ステー７０の前面でこの当接面を構成してもよい。また、本例と異なり、各水道配管１Ｆと各後方接続口６２との接続作業や、前方接続口６１の貫通孔１Ｇへの挿入作業を、奥壁前方に予め立設された設置部１Ａの裏面側で行う場合には、設置部１Ａに適宜な作業口を設ければよく、作業性の面で、可撓管で構成された水道配管１Ｆを用いることが好適である。
【００３２】
固定部材７３は、図３に示すように、固定フランジ７４を備えたナットにより構成され、内周面には前方接続口６１の雄ネジ６３に螺合可能な雌ネジ７５を備える。この固定部材７３は、シートパッキン１Ｋと取付ステー４０とを介在させた状態にて設置部１Ａの表面側より貫通孔１Ｇに挿入され、前方接続口６１に螺合締結される。これにより、固定フランジ７４とフランジ部６６の前面とで設置部１Ａを挟持して接続具Ｓは設置部１Ａに堅固に固定される。尚、本例と異なり、固定部材７３が雄型とされ、前方接続口６１が雌型とされてもよいし、両者の取着方法も螺合に限定されない。また、本例によると、室内側より固定部材７３を取り外せば、設置部１Ａを構成するパネルを取り外すことができるため、この室内側より、このパネルの交換や、接続具Ｓ、水道配管１Ｆのメンテナンス等を行うことができる。
このように、本例では、設置部１Ａへの取付ステー５０の固定を、接続具Ｓの固定を兼ねて行っており、これにより、取付ステー５０の固定作業の簡便化を図っているが、これに限らず、設置部１Ａへの取付ステー５０の固定については、例えばビス止め等により別途行うこととしてもよい。
【００３３】
最後に、図４を用いて給水栓１０の取付方法等を説明する。
本例では、給水栓本体１１にカバー３１と左右の両操作ハンドル１Ｄ、１Ｄとが取着された後に、この給水栓本体１１が設置部１Ａに取り付けられる。この際、湯側の配管接続部１７を左側の前方接続口６１に挿嵌し、水側の配管接続部１７を右側の前方接続口６１に挿嵌しながら、給水栓本体１１が設置部１Ａ側へと押し込まれる。そして、図４（ａ）及び図４（ｂ）に示すように、給水栓本体１１の両側面後方側に、掛止部材５０が取着部材５８を用いて取着固定される。この取着は、前述の如く、給水栓本体１１のネジ孔１８に掛止部材５０とは別体の取着部材５８を螺入し、取着部５２を給水栓本体１１に取着することによって行われる。
【００３４】
この取着作業の始期においては、図４（ａ）に示すように、取付ステー４０の屈曲部４３と、掛止部材５０の本体部５１とが非接触、若しくは軽く接触した状態になると共に、給水栓本体１１は未だ完全に押し込まれた状態にはない。
そして、取着部材５８の螺入量を増すと、取着部５２は取着部材５８の頭部に押圧されて図示矢印Ａ方向に移動し、掛止部５５が被掛止部４５を押圧する。更に螺入量を増すと、取着部５２が取着された状態となると共に、掛止部５５が図示矢印Ｂ方向にスライドし、設置部１Ａ方向に引き寄せられる。この時、掛止部材５０と共に給水栓本体１１も、設置部１Ａ方向に引き寄せられる。この引き寄せは、設置部１Ａにカバー３１が衝合するまで、並びに、図４（ｂ）に示すように、各配管接続部１７、１７の各根本側に隆起状に設けられた位置決め面２７が、固定部材７３の表面７６に当接するまで行われ、これにより、掛止部５５が被掛止部４５に的確に掛止され、給水栓本体１１の設置部１Ａへの取付を完了する。
【００３５】
このように、本例では、掛止部材５０が別体の取着部材５８を用いて給水栓本体１１に取着され、しかも、掛止部５５及び被掛止部４５が互いに面当接可能な傾斜面状に形成されているため、掛止部５５は円滑にスライドして被掛止部４５に掛止される。尚、給水栓本体１１への掛止部材５０の完全な取着に先駆けて、取付ステー４０の被掛止部４５と掛止部材５０の掛止部５５とが互いに掛止して適度に撓むようにすると、本体部５１や給水栓１０等に寸法上のバラツキがあっても、このバラツキを吸収させることができる。特に、本例のように、掛止部５５及び被掛止部４５を板状に形成すると、適宜なたわみを生じさせ易く効果的である。
【００３６】
ここで、本例では、掛止部５５及び被掛止部４５の双方を傾斜面状とする態様を例示するが、請求項１、３〜５の発明においては、図５（ａ）及び（ｂ）に示すように、掛止部５５若しくは被掛止部４５の一方のみを傾斜面状に形成し、他方を一方に線状若しくは点状に当接する「当接部」としてもよい。これらの態様においても、掛止部５５は的確なスライドを行って、被掛止部４５に掛止される。但し、これらの態様においては、図５（ｃ）に示すように、当接部に丸みをつけたり、面取りを施せば、より円滑なスライドが可能となる。
【００３７】
また、本例では、取付ステー４０の外側より掛止部材５０を掛止する態様を例示したが、本各発明では、その掛止方法等は特に問わない。例えば、図５（ｄ）に示すように、取付ステー４０の内側に被掛止部４５を設け、取付ステー４０の内側より掛止部５５を掛止してもよい。
更に、本例では、設置部１Ａに予め固定された取付ステー４０に対して給水栓本体１１を固定したが、図５（ｅ）に示すように、取付ステー４０を予め給水栓本体１１に取着しておき、図示矢印Ｃに示すように、この取付ステー４０をビス等により設置部１Ａに固定してもよい。この場合には、当然、給水栓本体１１に対する取付ステー４０の取着は、本各発明に係る取付構造が採用される。
【００３８】
本例では、取付を完了した給水栓本体１１の両配管接続部１７、１７が、左右のアダプター６０に挿嵌状態で支持されるため、給水栓本体１１は回動することがなく、また、設置部１Ａの左右方向及び上下方向にガタツキも少なく固定される。しかも、挿嵌状態が掛止部材５０によって確実に維持されるため、給水栓本体１１は、設置部１Ａの前後方向にも確実に固定される。
また、取付を完了した給水栓本体１１には、サブカバー３５が装着され、掛止部材５０や止水栓ユニット２Ｄが隠蔽されるため、操作ハンドル１Ｄを操作する者の手が、掛止部材５０や止水栓ユニット２Ｄに誤って接触することはない。
【００３９】
本例において、給水栓１０のメンテナンス等を行う際には、サブカバー３５を取り外して止水栓を操作したり、ストレーナを着脱するが、サブカバー３５にその外部より止水栓を操作するための操作孔を設けて、止水栓の操作に関してはサブカバー３５を取り外すことなく行うことができるようにしてもよい。
【００４０】
また、給水栓１０の取り換え等を行う際には、サブカバー３５を取り外して取着部材５８及び掛止部材５０を給水栓本体１１より取り外せば、給水栓本体１１を設置部１Ａより容易に取り外すことができる。このように、本例によると、給水栓１０の着脱が容易であるばかりか、設置部１Ａを構成するパネル等の交換作業、接続具Ｓ、水道配管１Ｆ等のメンテナンスを室内側より行うことができるため、「給水栓１０の取付構造全体」の施工、メンテンナンス等を効率的に行うことができる。また、固定部材７３が設置部１Ａより殆ど突出せず、給水栓本体１１及びカバー３１の後端面が設置部１Ａに衝合するばかりか、給水栓本体１１のコンパクト化が図られているため、給水栓１０の前出量が抑制され、給水栓１０の設置スペースの省スペース化が図られる。
【００４１】
【発明の効果】
以上のように、本各発明の給水栓の取付構造によると、給水栓を設置部に対して的確に取り付けることができる。
【００４２】
特に、請求項２の発明によれば、円滑で堅固な取り付けを行うことができ、請求項３の発明によれば、水道配管との接続作業を容易に行うことができ、請求項４の発明によれば、給水栓全体の美観を確保することができ、請求項５の発明によれば、施工やメンテナンスの作業を簡略化できる。
【図面の簡単な説明】
【図１】本各発明に係る給水栓の取付構造の実施形態を示す分解斜視図である。
【図２】図１に示した給水栓の取付構造の横断面平面図である。
【図３】図１に示した設置部、接続具、取付ステー等を示す分解横断面図である。
【図４】（ａ）及び（ｂ）は、各々、給水栓の取付状態を示す要部横断面平面図である。
【図５】（ａ）〜（ｅ）は各々、給水栓の取付構造の別例を示す要部説明図である。
【図６】（ａ）は従来例を示す部分断面側面図、（ｂ）は図６（ａ）の要部拡大図である。
【符号の説明】
１Ａ；壁面、１Ｄ；操作ハンドル、１Ｅ；吐水管、１Ｆ；水道配管、１Ｇ；貫通孔、１Ｈ；袋ナット、１Ｊ；シートパッキン、１Ｋ；シートパッキン、２Ｂ；温度調節弁、２Ｃ；流路切換弁、２Ｄ；止水栓ユニット、２Ｇ；操作部、１０；給水栓、１１；給水栓本体、１２；操作軸、１３；空き領域、１４；接続部、１５；湯室、１６；水室、１７；配管接続部、１８；ネジ孔、１９；装着室、２０；連通孔、２１；流路部分、２２；連通口、２３；カラン側の流出路、２４；シャワー側の流出路、２５；雌ネジ部、２７；位置決め面、２８；雌ネジ部、３１；カバー、３２；切り欠き部、３３；カラー、３５；サブカバー、３６；弾性係合脚、４０；取付ステー、４１；挿通孔、４３；屈曲部、４４；切り欠き部、４５；被掛止部、４６；返し部、４７；返し部、５０；掛止部材、５１；本体部、５２；取着部、５３；切り欠き部、５５；掛止部、５６；挿通孔、５８；取着部材、６０；アダプター、６１；前方接続口、６２；後方接続口、６３；雄ネジ、６４；シール部材、６５；雄ネジ、６６；フランジ部、６７；前端部、７０；固定ステー、７１；固定用切り欠き、７２；ナット、７３；固定部材、７４；固定フランジ、７５；雌ネジ、７６；表面、８１；背面上端部、８２；背面側下端部、８３；ネジ孔、８５；締付用ビス、８６；先端部、Ｓ；接続具。
【図１】
0004208166.tif 000002
【図２】
0004208166.tif 000003
【図３】
0004208166.tif 000004
【図４】
0004208166.tif 000005
【図５】
0004208166.tif 000006
【図６】
0004208166.tif 000007